【手続補正書】
【提出日】平成16年11月18日(2004.11.18)
【手続補正１】
【補正対象書類名】明細書
【補正対象項目名】特許請求の範囲
【補正方法】変更
【補正の内容】
【特許請求の範囲】
【請求項１】
コンテンツ・サーバ・コンピュータにおいて，
配信すべきコンテンツをそのコンテンツに固有のコンテンツ用鍵を用いて暗号化して暗号化コンテンツを生成し，
上記コンテンツ用鍵を，コンテンツを受取る資格のある会員に固有の会員用鍵で暗号化して，上記会員に対応するコンテンツ用暗号化鍵を生成し，
上記暗号化コンテンツと上記コンテンツ用暗号化鍵とを含む暗号化コンテンツ・ファイルを作成し，
作成した上記暗号化コンテンツ・ファイルを上記会員のクライアント・コンピュータに配信し，
上記暗号化コンテンツ・ファイルを受信したクライアント・コンピュータにおいて，
会員用鍵を用いて，受信した暗号化コンテンツ・ファイルに含まれるその会員に対応するコンテンツ用暗号化鍵を復号してコンテンツ用鍵を得，
得られたコンテンツ用鍵を用いて，受信した暗号化コンテンツ・ファイルに含まれる暗号化コンテンツを復号する，
コンテンツ配信方法。
【請求項２】
配信すべきコンテンツをそのコンテンツに固有のコンテンツ用鍵を用いて暗号化して暗号化コンテンツを生成する暗号化コンテンツ生成手段，
上記コンテンツ用鍵を，コンテンツを受取る資格のある会員に固有の会員用鍵で暗号化して，上記会員に対応するコンテンツ用暗号化鍵を生成するコンテンツ用暗号化鍵生成手段，および
上記暗号化コンテンツ生成手段によって生成された上記暗号化コンテンツと上記コンテンツ用暗号化鍵生成手段によって生成されたコンテンツ用暗号化鍵とを含む暗号化コンテンツ・ファイルを作成する暗号化コンテンツ・ファイル作成手段，
を備えたコンテンツ配信システムにおけるコンテンツ・サーバ・コンピュータ。
【請求項３】
配信すべきコンテンツをそのコンテンツに固有のコンテンツ用鍵を用いて暗号化して暗号化コンテンツを生成させ，
上記コンテンツ用鍵を，コンテンツを受取る資格のある会員に固有の会員用鍵で暗号化して，上記会員に対応するコンテンツ用暗号化鍵を生成させ，
上記暗号化コンテンツと上記コンテンツ用暗号化鍵とを含む暗号化コンテンツ・ファイルを作成させるようにコンテンツ・サーバ・コンピュータを制御するプログラムを格納した記録媒体。
【請求項４】
コンテンツ・サーバ・コンピュータから配信されたコンテンツを受取る資格のある会員に付与された識別符号とその会員に対応する上記コンテンツ用暗号化鍵との対を含む暗号化コンテンツ・ファイルを受信するクライアント・コンピュータを制御するためのプログラムであって，
クライアント・コンピュータに対応する会員の識別符号を用いてその会員に対応するコンテンツ用暗号化鍵を暗号化コンテンツ・ファイルから取出させるようにクライアント・コンピュータを制御するプログラムを記録した記録媒体。
【請求項５】
コンテンツを記憶したコンテンツ・サーバ装置とコンテンツ・サーバ装置からのコンテンツの配信を受付ける携帯端末とが相互に通信可能なコンテンツ配信システムにおいて用いられる携帯端末の制御方法であり，
上記コンテンツ・サーバ装置から配信されたコンテンツを受信し，
受信したコンテンツに，上記携帯端末に記憶された上記携帯端末に固有の識別符号を埋込むように上記携帯端末を制御する，
携帯端末の制御方法。
【請求項６】
上記コンテンツ・サーバ装置にコンテンツが暗号化されて記憶されており，
コンテンツへの識別符号の埋込み制御に先だって，受信した暗号化コンテンツを復号する，
請求項５に記載の携帯端末の制御方法。
【請求項７】
コンテンツを記憶したコンテンツ・サーバ装置とコンテンツ・サーバ装置からのコンテンツの配信を受付ける携帯端末とが相互に通信可能なコンテンツ配信システムにおいて用いられる携帯端末であって，
上記携帯端末に固有の識別符号を記憶する記憶手段，
上記コンテンツ・サーバ装置から配信されたコンテンツを受信する受信手段，および
上記受信手段によって受信されたコンテンツに，上記記憶手段に記憶された上記携帯端末に固有の識別符号を埋込む埋込み手段，
を備えた携帯端末。
【請求項８】
コンテンツを記憶したコンテンツ・サーバ装置とコンテンツ・サーバ装置からのコンテンツの配信を受付けるコンテンツ・クライアント装置とが相互に通信可能なコンテンツ配信システムにおいて用いられるコンテンツ・クライアント装置の制御方法であり，
上記コンテンツ・サーバ装置から配信されたコンテンツを受信し，
受信したコンテンツに，外部から与えられた情報を埋込むようにコンテンツ・クライアント装置を制御する，
コンテンツ・クライアント装置の制御方法。
【請求項９】
コンテンツを記憶したコンテンツ・サーバ装置とコンテンツ・サーバ装置からのコンテンツの配信を受付けるコンテンツ・クライアント装置とが相互に通信可能なコンテンツ配信システムにおいて用いられるコンテンツ・クライアント装置の制御方法であり，
上記コンテンツ・サーバ装置から配信されたコンテンツを受信し，
受信したコンテンツに，上記コンテンツ・クライアント装置に記憶された上記コンテンツ・クライアント装置に固有の識別符号を埋込むようにコンテンツ・クライアント装置を制御する，
コンテンツ・クライアント装置の制御方法。
【請求項１０】
コンテンツおよびコンテンツ・クライアント装置に固有の識別符号を記憶したコンテンツ・サーバ装置とコンテンツ・サーバ装置からのコンテンツおよび上記識別符号の配信を受付けるコンテンツ・クライアント装置とが相互に通信可能なコンテンツ配信システムにおいて用いられるコンテンツ・クライアント装置の制御方法であり，
上記コンテンツ・サーバ装置からコンテンツとコンテンツ・クライアント装置に固有の上記識別符号とを受信し，
受信したコンテンツに，受信したコンテンツ・クライアント装置に固有の上記識別符号を埋込むようにコンテンツ・クライアント装置を制御する，
コンテンツ・クライアント装置の制御方法。
【請求項１１】
上記コンテンツ・サーバ装置にコンテンツが暗号化されて記憶されており，
コンテンツへの情報または識別符号の埋込み制御に先だって，受信した暗号化コンテンツを復号する，
請求項８から10のいずれか一項に記載のコンテンツ・クライアント装置の制御方法。
【請求項１２】
コンテンツを記憶したコンテンツ・サーバ装置とコンテンツ・サーバ装置からのコンテンツの配信を受付けるコンテンツ・クライアント装置とが相互に通信可能なコンテンツ配信システムにおいて用いられるコンテンツ・クライアント装置であって，
上記コンテンツ・サーバ装置から配信されたコンテンツを受信する受信手段，および
上記受信手段によって受信されたコンテンツに，外部から与えられた情報を埋込む埋込み手段，
を備えたコンテンツ・クライアント装置。
【請求項１３】
コンテンツを記憶したコンテンツ・サーバ装置とコンテンツ・サーバ装置からのコンテンツの配信を受付けるコンテンツ・クライアント装置とが相互に通信可能なコンテンツ配信システムにおいて用いられるコンテンツ・クライアント装置であって，
上記コンテンツ・クライアント装置に固有の識別符号を記憶する記憶手段，
上記コンテンツ・サーバ装置から配信されたコンテンツを受信する受信手段，および
上記受信手段によって受信されたコンテンツに，上記記憶手段に記憶された上記識別符号を埋込む埋込み手段，
を備えたコンテンツ・クライアント装置。
【請求項１４】
コンテンツおよびコンテンツ・クライアント装置に固有の識別符号を記憶したコンテンツ・サーバ装置とコンテンツ・サーバ装置からのコンテンツおよび識別符号の配信を受付けるコンテンツ・クライアント装置とが相互に通信可能なコンテンツ配信システムにおいて用いられるコンテンツ・クライアント装置であって，
上記コンテンツ・サーバ装置から配信されたコンテンツを受信する第１の受信手段，
上記コンテンツ・サーバ装置から配信された上記コンテンツ・クライアント装置に固有の識別符号を受信する第２の受信手段，および
上記第１の受信手段によって受信されたコンテンツに，上記第２の受信手段によって受信された上記識別符号を埋込む埋込み手段，
を備えたコンテンツ・クライアント装置。
【請求項１５】
コンテンツを記憶したコンテンツ・サーバ装置とコンテンツ・サーバ装置からのコンテンツの配信を受付ける携帯端末とが相互に通信可能なコンテンツ配信システムにおいて用いられる携帯端末を制御するプログラムであって，
上記コンテンツ・サーバ装置から配信されたコンテンツを受信させ，
受信したコンテンツに，上記携帯端末に記憶された上記携帯端末に固有の識別符号を埋込むように上記携帯端末を制御するプログラム，
を記録した記録媒体。
【手続補正２】
【補正対象書類名】明細書
【補正対象項目名】０００７
【補正方法】変更
【補正の内容】
【０００７】
この発明によるコンテンツ配信方法は，コンテンツ・サーバ・コンピュータにおいて，配信すべきコンテンツをそのコンテンツに固有のコンテンツ用鍵を用いて暗号化して暗号化コンテンツを生成し，上記コンテンツ用鍵を，コンテンツを受取る資格のある会員に固有の会員用鍵で暗号化して，上記会員に対応するコンテンツ用暗号化鍵を生成し，上記暗号化コンテンツと上記コンテンツ用暗号化鍵とを含む暗号化コンテンツ・ファイルを作成し，作成した上記暗号化コンテンツ・ファイルを上記会員のクライアント・コンピュータに配信する。
【手続補正３】
【補正対象書類名】明細書
【補正対象項目名】００１１
【補正方法】変更
【補正の内容】
【００１１】
クライアントは暗号化コンテンツ・ファイルを受取る。暗号化コンテンツ・ファイルの受取りは，サーバからダウンロードする態様であっても，サーバから放送型で送られたものを受取る態様であってもよい。暗号化コンテンツ・ファイルには，コンテンツを受取る資格のある会員それぞれに対応するコンテンツ用暗号化鍵と暗号化コンテンツとが含まれる。会員はクライアントによって自分のコンテンツ用暗号化鍵を自分の会員用鍵を用いて復号する。このとき，コンテンツ用暗号化鍵と会員の識別符号とが対になっていれば，自分の会員識別符号をキーにして自分のコンテンツ用暗号化鍵を暗号化コンテンツ・ファイルにおいて容易に見つけることができる（会員識別符号もまた，前もって会員またはそのクライアントに配布または配信されていることが前提である）。たとえ，暗号化コンテンツ・ファイルに会員識別符号が存在しなくても，暗号化コンテンツの復号は可能である。たとえば，クライアントにおいて，そのクライアント（会員）に固有の会員用鍵を用いて暗号化コンテンツ・ファイルにあるすべての暗号化コンテンツ鍵を復号し，復号により得られたコンテンツ鍵を用いて暗号化コンテンツの復号を試みる。復号されたコンテンツの中に，一つの意味のあるコンテンツが存在する筈であるから，このコンテンツが正しく復号されたものであることが分かる。
【手続補正４】
【補正対象書類名】明細書
【補正対象項目名】００２０
【補正方法】変更
【補正の内容】
【００２０】
この発明による第２のコンテンツ・クライアント装置の制御方法は，上記コンテンツ・サーバ装置から配信されたコンテンツを受信し，受信したコンテンツに，上記コンテンツ・クライアント装置に記憶された上記コンテンツ・クライアント装置に固有の識別符号を埋込むようにコンテンツ・クライアント装置を制御するものである。
【手続補正５】
【補正対象書類名】明細書
【補正対象項目名】００２１
【補正方法】変更
【補正の内容】
【００２１】
この発明による第３のコンテンツ・クライアント装置の制御方法は，上記コンテンツ・サーバ装置からコンテンツとコンテンツ・クライアント装置に固有の識別符号とを受信し，受信したコンテンツに，受信した上記コンテンツ・クライアント装置に固有の識別符号を埋込むようにコンテンツ・クライアント装置を制御するものである。
【手続補正６】
【補正対象書類名】明細書
【補正対象項目名】００２２
【補正方法】変更
【補正の内容】
【００２２】
コンテンツ・サーバ装置（以下，単にサーバ装置という）にはあらかじめコンテンツが記憶（登録）されている。コンテンツ・クライアント装置（以下，単にクライアント装置という）は，このようなサーバ装置からコンテンツを受信する。一般的には，クライアント装置からサーバ装置に受信すべきコンテンツ内容を示すリクエストが送信され，このリクエストに応じた内容のコンテンツがサーバ装置からクライアント装置に送信される。
【手続補正７】
【補正対象書類名】明細書
【補正対象項目名】００２６
【補正方法】変更
【補正の内容】
【００２６】
このような上記クライアント装置が携帯電話機に代表されるような携帯端末である場合，携帯端末には各携帯端末をそれぞれ識別することができる符号（携帯電話機の場合には電話番号）がそのメモリに記憶されているので，そのような番号等を識別符号として利用することができる。